(57)【特許請求の範囲】
【請求項１】
飲料水を注入することにより膨張し、貯水量の減少に伴い収縮する扁平状の飲料水包装袋からなり、前記飲料水包装袋の一端側の中央に取着された開閉バルブを有し、前記一端側の左右に三角形状角部を有さず、前記一端側の左右に融着形成された傾斜縁を有し、前記一端側において左右の前記傾斜縁の間に一端側縁を有し、前記飲料水包装袋の他端側にある左右の角部に手で把持するための融着形成された三角縁部を有し、
飲料水ディスペンサに左右の側壁を有した包装袋収容部を設けておき、前記三角縁部を両手で把持して前記飲料水包装袋を吊り上げ、左右の前記側壁の上端縁に前記飲料水包装袋の左右の前記傾斜縁を夫々当接させ、前記飲料水包装袋の自重を利用して前記傾斜縁を前記上端縁に対し滑らせて前記飲料水包装袋を前記包装袋収容部に落下収容するとき、吊り上げ状態では飲料水で膨満化した形状の前記飲料水包装袋が、収容状態では前記包装袋収容部の外壁に規制された形状になって収容配置されることを特徴とし、
前記一端側縁の長さは前記飲料水包装袋の最短幅に相当し、前記最短幅は左右の前記側壁の対向間隔の０．３９倍〜０．９０倍であり、前記傾斜縁の傾斜角は前記傾斜縁と前記一端側縁の延長線との狭角により定義され、前記傾斜角は３５度〜６８度の範囲に含まれ、前記他端側の他端側縁の長さは前記飲料水包装袋の最長幅に相当し、前記最長幅は前記側壁の対向間隔の１．２倍〜２．７倍であり、
前記傾斜縁は滑動しても破断しない強度を有することを特徴とする飲料水包装袋。
【請求項２】
前記包装袋収容部の前方に設けた規制壁の切欠部に前記開閉バルブを装着して前記飲料水ディスペンサに前記飲料水包装袋を収容する請求項１に記載の飲料水包装袋。
【請求項３】
左右の前記三角縁部の輪郭は三角状融着帯により融着形成されて、前記三角縁部が三角形状に扁平に保持される請求項１又は２に記載の飲料水包装袋。
【請求項４】
左右の前記三角状融着帯と交差しないでその内側を通り、且つ前記飲料水包装袋の輪郭に沿って、無端状の環状融着帯が融着形成されて、前記飲料水包装袋が密封状に扁平に保持され、前記環状融着帯の内側に形成される空洞部に前記開閉バルブから前記飲料水を注入して前記飲料水包装袋を膨張させる請求項３に記載の飲料水包装袋。
【請求項５】
前記傾斜縁に沿って傾斜縁融着帯が形成され、前記傾斜縁融着帯は前記環状融着帯の一部を構成する請求項４に記載の飲料水包装袋。
【請求項６】
前記一端側において前記一端側縁に沿って一端側縁融着帯が形成され、前記一端側縁融着帯は前記環状融着帯の一部を構成する請求項４又は５に記載の飲料水包装袋。
【請求項７】
前記環状融着帯は八角形状又は略八角形状に形成される請求項４、５又は６に記載の飲料水包装袋。
【発明の詳細な説明】
【技術分野】
【０００１】
本発明は、人が飲用する水・ジュース・酒等の液体状の飲料水を密封状に注入した飲用水包装袋に関し、更に詳細には、飲料水を抽出するために飲料水ディスペンサの収容部に収容して使用される飲用水包装袋に関する。
【背景技術】
【０００２】
この種の飲料水包装袋及び飲料水ディスペンサには、本件出願人の公知先願である特許文献１（特開２００３−２０６０００号公報）に開示されている飲料水包装袋及び飲料水ディスペンサがある。飲料水包装袋には、水・ジュース・酒等の飲料水が密封状に注入されており、この飲料水包装袋を飲料水ディスペンサの包装袋収容部に収納載置して、使用者の操作によって飲料水が適量だけ提供されるシステムである。
【０００３】
図１０に特許文献１の基本構成を示し、ここで説明しておく。注水栓１３１を有した飲料水バッグ１３０は、段ボール製外箱１３２から取り出されて使用される。飲料水ディスペンサは、外郭ケース１０１と上方に前記飲料水バッグ１３０を収容載置するバッグ収納室１０２からなる。前記バッグ収納室１０２は、冷却プレート１１５、底壁１０５、左側壁１０６、右側壁１０７及び左右のストッパー１０９、１０９からなり、飲料水バッグ１３０を収容した後、蓋１１０を閉鎖して使用される。注水栓１３１は切欠き１１１及び溝１１２に嵌め込んで外方に突出して配置され、水受トレイ１１３の上方に位置する。コンプレッサー１１９から配管１１８を介して、冷媒が冷却プレート１１５の下面にある冷媒通路１１７に供給され、飲料水バッグ１３０は冷却される。
【０００４】
図１０では、飲料水バッグ１３０には飲料水が密封注入されているから、飲料水バッグ１３０は段ボール製外箱１３２の中に規制されて略直方体形状になって内装されており、飲料水の無い空袋状態、即ち扁平形状の飲料水バッグ１３０の形状は図示されていない。また、飲料水が密封注入された飲料水バッグを、バッグ収納室１０２にどのように収容するかのステップも一歳記載されていない。
【０００５】
図１１は、非特許文献１（意匠登録第１１３０９３６号公報）に係るバッグインボックス用包装袋、即ち扁平形状の飲料水包装袋の正面図である。この飲料水包装袋の開閉バルブ側の両端角部には三角縁部が融着形成されているが、開閉バルブと反対側の両端角部では、三角縁部が分離されて傾斜縁になっていることが図示されている。即ち、この飲料水包装袋の特徴は、開閉バルブ側に三角縁部、開閉バルブと反対側に傾斜縁が形成されていることである。図示されていない飲料水ディスペンサに、飲料水包装袋をどのように収容するかは図示されておらず、意匠に係る物品の説明の記載も全くないから、収容方法は全く不明のままである。
【０００６】
図１２は、特許文献２（特開２０１１−１３１９０８号公報）に係る水バッグ、即ち扁平形状の飲料水包装袋の正面図である。この水バッグ２３０は矩形形状を有し、上下側縁と左右側縁は夫々封止ライン２３１と封止ライン２３２により矩形形状に融着封止されて密封性を保持している。特に、水バッグ２３０の開閉バルブ２３３側の両端角部は三角形状に面融着されて切り取り部分２３５と名称が付与されている。また、同公報の[００３５]の最後の２行には、「なお、封止ライン３４の封着により略凸形状の部分における水漏れは生じないので、切り取り部分３５を切断除去してもよいし、残存させたまま使用することもできる。」と記載されている。即ち、三角形状の切り取り部分２３５は切り取っても、切り取らなくてもよく、使用状況に応じて選択できることを示している。
【先行技術文献】
【特許文献】
【０００７】
【特許文献１】特開２００３−２０６０００号公報
【特許文献２】特開２０１１−１３１９０８号公報
【非特許文献】
【０００８】
【非特許文献１】意匠登録第１１３０９３６号公報
【発明の概要】
【発明が解決しようとする課題】
【０００９】
特許文献１では、飲料水ディスペンサの具体的構造は開示されているが、飲料水包装袋の扁平形状は全く不明である。従って、どのような扁平形状であれば、飲料水ディスペンサの包装袋収容部に容易に収容できるかは記載されておらず、示唆さえされていない。また、非特許文献１の飲料水包装袋では、開閉バルブと反対側の両端角部を切り落として傾斜縁が形成されている。特許文献１の飲料水ディスペンサの包装袋収容部に、開閉バルブ側を下方に向けて非特許文献１の飲料水包装袋を投入する場合には、切り落とし形成された傾斜縁は手で把持する側になり、把持する部分が無いために把持し難い。しかも、開閉バルブ側の両端角部には三角縁部が存在しており、左右の三角縁部が前記収容部の左右側壁に絡むため、収容操作が難しいという欠点を有する。
【００１０】
特許文献２の飲料水包装袋を特許文献１の飲料水ディスペンサの包装袋収容部に投入収容する場合には、別の困難がある。開閉バルブ２３３の反対側の左右角部には手で把持するための三角縁部が全く融着形成されていないから、左右の角部は飲料水が注入されて膨張しており、手で左右角部を把持して水バッグ２３０を吊り上げることは不可能である。従って、水バッグ２３０の胴部を両腕で抱きかかえる以外に方法がない。また、開閉バルブ側２３３の左右角部には切り取り部分２３５、２３５が形成されているが、前述した様に、この左右角部は切り取っても良いし、切り取らなくても良いから、切り取らない場合には、扁平な切り取り部分２３５、２３５が飲料水ディスペンサの左右側壁に絡まり、水バッグ２３０を包装袋収容部に一回の操作で収納載置することは極めて困難になる。包装袋収容部は結構高い位置に存在するから、水バッグ２３０を両腕で抱きかかえて包装袋収容部に収容することは、簡単ではなく、熟練者で無ければ難しい。
【００１１】
本発明は、上記従来の課題に鑑みてなされたものであって、飲料水包装袋の開閉バルブと反対側の左右角部に手で把持するための三角縁部を形成し、開閉バルブ側の左右角部に傾斜縁を形成し、左右の傾斜縁を飲料水ディスペンサの左右の側壁上縁に当接させて、その自重により包装袋収容部に飲料水包装袋を滑らせて落下収容するものであり、両手で把持し簡単操作で包装袋収容部に収容載置可能な飲料水包装袋を提供することを目的とする。
【課題を解決するための手段】
【００１２】
本発明は、上記課題を解決するために提案されたものであって、本発明の第１の形態は、飲料水を注入することにより膨張し、貯水量の減少に伴い収縮する扁平状の飲料水包装袋からなり、前記飲料水包装袋の一端側の中央に開閉バルブを取着し、前記一端側の左右の三角形状角部を無くして左右に傾斜縁を融着形成し、前記飲料水包装袋の他端側にある左右の角部に三角縁部を融着形成し、飲料水ディスペンサに左右の側壁を有した包装袋収容部を設けておき、前記三角縁部を両手で把持して前記飲料水包装袋を吊り上げ、左右の前記側壁の上端縁に前記飲料水包装袋の左右の前記傾斜縁を夫々当接させ、前記飲料水包装袋の自重を利用して前記傾斜縁を前記上端縁に対し滑らせて前記飲料水包装袋を前記包装袋収容部に落下収容する飲料水包装袋である。
【００１３】
本発明の第２の形態は、前記包装袋収容部の前方に設けた規制壁の切欠部に前記開閉バルブを装着して前記飲料水ディスペンサに前記飲料水包装袋を収容する飲料水包装袋である。
【００１４】
本発明の第３の形態は、左右の前記三角縁部の輪郭は三角状融着帯により融着形成されて、前記三角縁部が三角形状に扁平に保持される飲料水包装袋である。
【００１５】
本発明の第４の形態は、左右の前記三角状融着帯と交差しないでその内側を通り、且つ前記飲料水包装袋の輪郭に沿って、無端状の環状融着帯が融着形成されて、前記飲料水包装袋が密封状に扁平に保持され、前記環状融着帯の内側に形成される空洞部に前記開閉バルブから前記飲料水を注入して前記飲料水包装袋を膨張させる飲料水包装袋である。
【００１６】
本発明の第５の形態は、前記傾斜縁に沿って傾斜縁融着帯が形成され、前記傾斜縁融着帯は前記環状融着帯の一部を構成する飲料水包装袋である。
【００１７】
本発明の第６の形態は、前記一端側において左右の前記傾斜縁の間にある一端側縁に沿って一端側縁融着帯が形成され、前記一端側縁融着帯は前記環状融着帯の一部を構成する飲料水包装袋である。
【００１８】
本発明の第７の形態は、前記環状融着帯は八角形状又は略八角形状に形成される飲料水包装袋である。
【００１９】
本発明の第８の形態は、前記飲料水包装袋の前記一端側縁の長さは前記飲料水包装袋の最短幅に相当し、前記最短幅は左右の前記側壁の対向間隔の０．３９倍〜０．９０倍に設定される飲料水包装袋である。
【００２０】
本発明の第９の形態は、前記傾斜縁の傾斜角は前記傾斜縁と一端側縁の延長線との狭角により定義され、前記傾斜角は３５度〜６８度の範囲に設定される飲料水包装袋である。
【００２１】
本発明の第１０の形態は、前記飲料水包装袋の前記他端側の他端側縁の長さは前記飲料水包装袋の最長幅に相当し、前記最長幅は前記側壁の対向間隔の１．２倍〜２．７倍に設定される飲料水包装袋である。
【発明の効果】
【００２２】
本発明は、前述した従来の扁平状の飲料水包装袋に関し手把持部と飲料水ディスペンサの包装袋収容部への収容容易化につき鋭意検討した結果、飲料水包装袋の開閉バルブと反対側の左右角部に手で把持するための三角縁部を形成し、開閉バルブ側の左右角部に傾斜縁を形成して、左右の傾斜縁を飲料水ディスペンサの左右の側壁上縁に当接させて、その自重により包装袋収容部に飲料水包装袋を滑らせて落下収容することに着目したものである。以下に、詳細に説明する。
【００２３】
本発明の第１の形態により、飲料水包装袋の一端側の中央に開閉バルブを取着し、前記一端側の左右の三角形状角部を無くして左右に傾斜縁を融着形成し、前記飲料水包装袋の他端側にある左右の角部に三角縁部を融着形成したから、前記三角縁部を両手で把持して、前記開閉バルブ側を下方に向けた状態で、前記飲料水包装袋を容易に吊り上げることができる。三角縁部は三角形状に全面融着しても良いし、内部を空洞にした三角帯融着でも良いし、また三角形内部を多点融着してしても良い等、各種の融着方法が適用できる。飲料水ディスペンサの上部には左右の側壁を有した包装袋収容部が設けられており、左右の前記側壁の上端縁に前記飲料水包装袋の左右の前記傾斜縁を夫々当接させれば、前記飲料水包装袋の飲料水の自重により、左右の傾斜縁は前記上端縁に対し中央下方へと滑動し、前記飲料水包装袋を自然と前記包装袋収容部に落下収容することができる。従って、左右の傾斜縁を左右側縁の左右上端縁に夫々当接するように飲料水包装袋を吊り上げて配置すれば、後はその自重により自然と滑り、熟練者でなくても飲料水包装袋を容易に一回操作で包装袋収容部に落下収容することができる。
【００２４】
本発明の第２の形態により、前記包装袋収容部の前方に設けた規制壁には切欠部が形成されているから、飲料水包装袋が包装袋収容部に落下収容される際に、開閉バルブが自然と前記切欠部に嵌合する。即ち、開閉バルブが切欠部から前方に突出した状態で、飲料水包装袋の本体は前記規制壁により規制され、飲料水包装袋が包装袋収容部から前方に滑落することが防止される。
【００２５】
本発明の第３の形態によれば、左右の前記三角縁部の輪郭は三角状融着帯により融着形成されて、前記三角縁部が三角形状に扁平に保持される。前述したように、三角縁部の融着方式には各種融着形態が利用できるが、三角縁部の輪郭に沿った三角状融着帯を融着形成すれば、融着帯の幅を狭くすることにより、融着面積を小さくでき、上下金型の融着部の大きさを小さくできるとともに、融着に要する電力の省力化に貢献できる。
【００２６】
本発明の第４の形態によれば、左右の前記三角状融着帯と交差しないでその内側を通り、且つ前記飲料水包装袋の輪郭に沿って、無端状の環状融着帯が融着形成されるから、融着帯の幅を狭くすることにより、融着面積を小さくでき、上下金型の融着部の大きさを小さくできるとともに、融着に要する電力の省力化に貢献できる。また、前記環状融着帯を飲料水包装袋の輪郭の外周ぎりぎりに形成すれば、前記環状融着帯の内側に形成される空洞部の面積を大きくでき、前記開閉バルブから注入される飲料水量の増大化を図ることができる。
【００２７】
本発明の第５の形態によれば、前記傾斜縁に沿って傾斜縁融着帯が形成され、この傾斜縁融着帯は前記環状融着帯の一部になるように構成される。傾斜縁は包装袋収容部の側縁の上端縁に当接して滑るから、滑動しても破断しない強度を有する必要があり、傾斜縁融着帯の帯幅を大きく設定することによって強度の増大を保証できる。また、傾斜縁融着帯を輪郭外縁ぎりぎりに形成すれば、傾斜縁融着帯が前記上端縁に当接するから、飲料水包装袋の強度の向上に寄与できる。
【００２８】
本発明の第６の形態によれば、開閉バルブ側にある前記一端側において左右の前記傾斜縁の間にある一端側縁に沿って一端側縁融着帯が形成され、この一端側縁融着帯は前記環状融着帯の一部になるように構成される。一端側縁は包装袋収容部の底板に接触するから、飲料水包装袋が包装袋収容部内でずれ動く場合には、底板との摩擦に対する耐力を有する必要がある。また、底板が加熱プレート又は冷却プレートになっておれば、一端側縁融着帯は加熱又は冷却に対し一定の耐力を有する必要がある。従って、傾斜縁融着帯の帯幅を調整することによって必要な耐力を保証できる。
【００２９】
本発明の第７の形態によれば、前記環状融着帯は八角形状又は略八角形状に形成される。本発明の飲料水包装袋において、開閉バルブ側の左右角部には三角部が除かれて傾斜縁が形成され、開閉バルブと反対側の左右角部には三角縁部が形成されているから、飲料水包装袋の輪郭に沿って前記環状融着帯を形成すると、環状融着帯の形状は八角形状又は略八角形状になる。八角形状又は略八角形状は他の形状よりも対称性が高く、換言すれば円形に近くなる。飲料水包装袋の中に飲料水が満杯状態まで注入されたときに、水圧は飲料水包装袋の周面に均一に作用することが望ましく、八角形状又は略八角形状の場合には水圧の均一化を促進でき、飲料水注入後における飲料水包装袋の耐久性を向上することができる。
【００３０】
本発明の第８の形態によれば、前記飲料水包装袋の前記一端側縁の長さは前記飲料水包装袋の最短幅に相当し、前記最短幅の左右の前記側壁の対向間隔に対する比率（本発明では短比率と称する）は０．３９〜０．９０に設定されることが望ましい。短比率が大きくなると飲料水包装袋の表面積が大きくなり注入できる飲料水量は増加する。他方、この短比率が大きくなると、傾斜縁の傾斜角が大きくなり、傾斜縁を左右側壁の上端縁に当接させることが難しくなる結果、飲料水包装袋の包装袋収容部への収容容易性が低くなる傾向を有する。各種実験をした結果、前記短比率は０．３９〜０．９０の範囲で、飲料水量と収容容易性の両者を良好に保持することが本発明者等によって明白となった。
【００３１】
本発明の第９の形態によれば、前記傾斜縁の傾斜角は前記傾斜縁と一端側縁の延長線との狭角により定義され、前記傾斜角は３５度〜６８度の範囲に設定されることが望ましい。傾斜角が大きくなると飲料水包装袋の表面積が大きくなり注入できる飲料水量は増加する。他方、この傾斜角が大きくなると、前述したように、傾斜縁を左右側壁の上端縁に当接させることが難しくなる結果、飲料水包装袋の包装袋収容部への収容容易性が低くなる傾向を有する。各種実験をした結果、前記傾斜角は３５度〜６８度の範囲で、飲料水量と収容容易性の両者を良好に保持することが本発明者等によって明白となった。
【００３２】
本発明の第１０の形態によれば、前記飲料水包装袋の前記他端側の他端側縁の長さは前記飲料水包装袋の最長幅に相当し、前記最長幅の前記側壁の対向間隔に対する比率（本発明では長比率と称する）は１．２〜２．７に設定されることが望ましい。長比率が大きくなると飲料水包装袋の表面積が大きくなり注入できる飲料水量は増加する。他方、この長比率が大きくなると、傾斜縁の傾斜角が小さくなり、傾斜縁が左右側壁の上端縁を滑って中央に落下することが難しくなる結果、飲料水包装袋の包装袋収容部への収容容易性が低くなる傾向を有する。各種実験をした結果、前記長比率は１．２〜２．７の範囲で、飲料水量と収容容易性の両者を良好に保持することが本発明者等によって明白となった。
【図面の簡単な説明】
【００３３】
【図１】図１は、本発明に係る飲料水包装袋の実施形態の正面図である。
【図２】図２は、本発明に係る飲料水包装袋の実施形態の背面図である。
【図３】図３は、図１のＡ−Ａ線断面図及びＢ−Ｂ線断面図であり、黒塗り部分は２枚の樹脂フィルムの融着部で、ハッチング部分は非融着部を示す。
【図４】図４は、本発明に係る飲料水包装袋に飲料水を注入して膨満した状態の包装袋簡略斜視図である。
【図５】図５は、本発明に係る飲料水で膨満した飲料水包装袋を収容する飲料水ディスペンサの簡略斜視図である。
【図６】図６は、本発明に係る飲料水包装袋と飲料水ディスペンサの収容部との配置寸法関係を説明する組合説明図である。
【図７】図７は、飲料水を注入した本発明に係る飲料水包装袋を飲料水ディスペンサの収容部へ収容するための初期配置図である。
【図８】図８は、飲料水包装袋の左右傾斜縁を飲料水ディスペンサの収容部の左右側壁上端縁に当接配置した中間配置図である。
【図９】図９は、飲料水包装袋を飲料水ディスペンサの収容部内に収容配置した最終配置図である。
【図１０】図１０は、特許文献１（特開２００３−２０６０００号公報）に開示されている飲料水包装袋及び飲料水ディスペンサの斜視図である。
【図１１】図１１は、非特許文献１（意匠登録第１１３０９３６号公報）に係るバッグインボックス用包装袋、即ち扁平形状の飲料水包装袋の正面図である。
【図１２】図１２は、特許文献２（特開２０１１−１３１９０８号公報）に係る水バッグ、即ち扁平形状の飲料水包装袋の正面図である。
【発明を実施するための形態】
【００３４】
以下に、本発明に係る飲用水包装袋の実施形態を図面及び票を参照して詳細に説明する。
図１は、本発明に係る飲料水包装袋の実施形態の正面図である。飲料水包装袋１は、後述するように、２枚の透明な樹脂フィルムを上下に重ね合わせて所要部を熱融着することによって形成される。図１は飲料水包装袋の完成形態を示し、その外周は、下端側の一端側縁４、上端側の他端側縁６、左側縁８、右側縁１０、及び左傾斜縁１２及び右傾斜縁１４から構成されている。左傾斜縁１２は、一端側縁４と左側縁８を左上方に傾斜して連結している。右傾斜縁１４は、一端側縁４と右側縁１０を右上方に傾斜して連結している。つまり、飲料水包装袋１の下縁の両角部は三角状に分離されて、左傾斜縁１２及び右傾斜縁１４が形成される。
【００３５】
飲料水包装袋１の上縁の左右角部には左三角縁部１６と右三角縁部１８が夫々形成されている。左三角縁部１６は黒塗りの左三角状融着帯２０により融着形成され、白塗り部分は非融着領域である。同様に、右三角縁部１８は黒塗りの右三角状融着帯２２により融着形成され、白塗り部分は非融着領域である。左三角縁部１６と右三角縁部１８の内部には左右三角状融着帯２０、２２により飲料水は注入し得ず、扁平状態が保持される。この扁平な左右の三角状融着帯２０、２２は手により把持する部分で、飲料水で膨満した飲料水包装袋１を手により吊り上げるために形成されている。
【００３６】
左三角状融着帯２０及び右三角状融着帯２２に交差しないように、飲料水包装袋１の輪郭にそって略八角形状の環状融着帯２４が内部を密封するように形成され、その内部に空洞部２６が形成される。即ち、略八角形状の環状融着帯２４は黒塗り帯線で示され、白い領域は非融着領域である。前記空洞部２６に飲料水が開閉バルブ２８から注入され、飲料水包装袋１は飲料水で膨満した状態になる。図示されるように、略八角形状の前記環状融着帯２４は、各辺毎に命名され、右回りに一端側縁融着帯４ａ、左傾斜縁融着帯１２ａ、左側縁融着帯８ａ、左三角縁部融着帯１６ａ、他端側縁融着帯６ａ、右三角縁部融着帯１８ａ、右側縁融着帯１０ａ、及び右傾斜縁融着帯１４ａから構成される。後述する図３に示されるように、一端側縁４の上方中央近傍には開閉バルブ２８が連結され、この開閉バルブ２８は２枚の樹脂フィルムの間で上側フィルム２に融着された内封板３４と、上側フィルム２の外側に配置されたノズル３０と開閉レバー３２から構成されている。開閉レバー３２は略１８０度回転し、開側に回動して内部からノズル３０を介して飲料水を抽出し、閉側に回動すれば飲料水の抽出は遮断される。飲料水包装袋１に飲料水を注入して膨満化する場合には、開閉バルブ２８からノズル３０や開閉レバー３２を取り外した開口状態で、飲料水を注入し、その後、ノズル３０や開閉レバー３２を含むカバー体（図番号無し）で前記開閉バルブ２８を閉止する。
【００３７】
図２は、図１に示される飲料水包装袋の実施形態の背面図である。この飲料水包装袋は透明体であるから、開閉バルブ２８の導水孔３６が透視され、内封板３４及び開閉レバー３２も透視される。寸法名称に関して、一端側縁４の幅長が最短幅ＳＷ、他端側縁の幅長が最長幅ＬＷ、高さが袋高Ｈ、左傾斜縁１２と一端側縁４の延長線との狭角及び右傾斜縁１４と一端側縁４の延長線との狭角は同一角度で、夫々が傾斜角θと称される。また、図１の正面図又は図２の背面図に表わされる形状の飲料水包装袋の面積を包装袋面積Ｓと称する。この包装袋面積Ｓには、略八角形の面積だけでなく、左三角縁部１６及び右三角縁部１８の面積も加算されている。
【００３８】
図３は、図１のＡ−Ａ線断面図及びＢ−Ｂ線断面図であり、黒塗り部分は２枚の樹脂フィルムの融着部で、ハッチング部分は非融着部を示す。
（３Ａ）は図１のＡ−Ａ線断面図であり、前述した２枚の透明な樹脂フィルムは上側フィルム２と下側フィルム３から構成される。黒塗り部分は左傾斜縁融着帯１２ａと右傾斜縁融着帯１４ａであり、この部分で両フィルム２、３が相互に熱融着されている。内封板３４は薄い樹脂版であり、上側フィルム２と融着され、下側フィルム３とは融着されていない。開閉バルブ２８の筒体２９は上方に突出し、その上端にノズル３０が取着されている。筒体２９に対しノズル３０と開閉レバー３２を取着した蓋体（図番号無し）とは螺着され、蓋体を筒体２９から分離することができる。蓋体を分離した状態で、飲料水包装袋１に飲料水を注入し、飲料水包装袋１が飲料水により膨満すると、前記筒体２９に前記蓋体を螺着する。その後、開閉レバー３２を開位置まで回動して、飲料水包装袋１から飲料水をノズル３０を通して外部に注水することができ、また開閉レバー３２を閉位置まで回動すれば注水を停止することが可能になる。
【００３９】
（３Ｂ）は図１のＢ−Ｂ線断面図であり、黒塗り部分は上側フィルム２と下側フィルム３の熱融着部分である。図中、左側の３部分は左三角状融着帯２０、２０と左三角縁部融着帯１６ａであり、右側の３部分は右三角状融着帯２２、２２と右三角縁部融着帯１８ａである。図中、上側フィルム２と下側フィルム３の接合面において、黒塗りされていない領域は非融着領域であり、この領域では上側フィルム２と下側フィルム３とは相互に分離することができることは言うまでもない。
【００４０】
図４は、本発明に係る飲料水包装袋に飲料水を注入して膨満した状態の包装袋簡略斜視図である。図１〜図３に示された飲料水包装袋１に開閉バルブ２８から飲料水３８を注入し、飲料水包装袋１が所定度まで膨満化すると、開閉レバー３２を閉位置まで回動して注水を停止する。図中、開閉レバー３２は閉位置に設定されている。この位置から開閉レバー３２を反対側に約１８０度回動すれば、開閉レバー３２を開位置に設定できる。膨満度は任意に設定できるが、通常は５０％〜１００％の範囲である。作業者は両手で左三角縁部１６と右三角縁部１８を把持することができ、この把持した状態での飲料水包装袋１の形態が図４に示されている。他の図符号は既に説明しているから、ここではその説明を省略する。
【００４１】
図５は、本発明に係る飲料水で膨満した飲料水包装袋を収容する飲料水ディスペンサの簡略斜視図である。飲料水ディスペンサ４０の最上部には包装袋収容部４２が配置されている。この包装袋収容部４２は、左側壁４４、右側壁４６、背板４８、底板５０及び滑動規制壁５２により囲繞され、上方に開口が形成されている。飲料水包装袋１を前記包装袋収容部４２に収容載置した後に、図示しない開閉蓋により前記開口を閉鎖することもできる。左側壁４４と右側壁４６の上端は、左上端縁４４ａと右上端縁４６ａと夫々称され、後述するように飲料水包装袋１の左傾斜縁１２と右傾斜縁１４が当接する部位になる。滑動規制壁５２の中央には切欠部５４が形成されており、この切欠部５４に飲料水包装袋１の開閉バルブ２８を突出状に嵌合させて、飲料水包装袋１の配置を完了する。底板５０が前方に向けて下向き傾斜している場合には、滑動規制壁５２が飲料水包装袋１の前方への自重による滑落を防止する機能を果たす。
【００４２】
図６は、本発明に係る飲料水包装袋と飲料水ディスペンサの収容部との配置寸法関係を説明する組合説明図である。飲料水包装袋１を包装袋収容部４２に収容する条件として、本発明では左傾斜縁１２が左上端縁４４ａに当接し、右傾斜縁１４が右上端縁４６ａに当接することが重要である。この当接が成立すれば、左傾斜縁１２は下向きの傾斜角θにより飲料水の自重によって左上端縁４４ａを下方に滑り落ちてゆく。同様に、右傾斜縁１４は下向きの傾斜角θにより飲料水の自重によって右上端縁４６ａを下方に滑り落ちてゆく。この滑動・滑落により飲料水包装袋１は自然と包装袋収容部４２に収容載置される。
図面符号については既に説明しているから、ここではその説明を省略する。
【００４３】
図７は、飲料水を注入した本発明に係る飲料水包装袋を飲料水ディスペンサの収容部へ収容するための初期配置図である。作業者は左三角縁部１６と右三角縁部１８を両手で把持し、開閉バルブ２８が下側になるように飲料水包装袋１を吊り上げ、飲料水包装袋１を飲料水ディスペンサ４０の包装袋収容部の上方に配置し、矢印方向に飲料水包装袋１を下降させる。
【００４４】
図８は、飲料水包装袋の左右傾斜縁を飲料水ディスペンサの収容部の左右側壁上端縁に当接配置した中間配置図である。飲料水包装袋１を包装袋収容部４２に効率的に収容するには、左傾斜縁１２を左上端縁４４ａに当接させ、同時に右傾斜縁１４を右上端縁４６ａに当接させることが重要である。また、開閉バルブ２８を切欠部５４の直上に配置する。この配置状態で、手の力を抜いてゆくと、飲料水収容袋１は飲料水の自重により、下方に滑動落下してゆく。詳細に述べると、左傾斜縁１２は左上端縁４４ａを滑りながら下方に落下し、同時に右傾斜縁１４は右上端縁４６ａを滑りながら下方に落下してゆく。この時、手を離すと飲料水包装袋１は一気に包装袋収容部４２に落下するが、衝撃が大きいから手を離すことは推奨されない。推奨手順は、手の力を緩めながら緩慢に飲料水包装袋を下方に移動させ、開閉バルブ２８を切欠部５４に嵌合させながら、飲料水包装袋１を底板５０の上に載置して安定させる。この間中、手で把持し続けることが好ましい。
【００４５】
図９は、飲料水包装袋を飲料水ディスペンサの収容部内に収容配置した最終配置図である。吊り上げ状態では、飲料水包装袋１は図７のような形状をしているが、収容状態では飲料水包装袋１は包装袋収容部４２の外壁に規制されるため、略直方体になって収容配置される。開閉バルブ２８は切欠部５４に嵌合して外方に突出している。この状態で、カップをノズル下方に配置し、開閉レバーを開閉操作することにより、カップに必要量の飲料水を供給することができる。
【００４６】
前述したように、飲料水包装袋１を飲料水ディスペンサ４０の包装袋収容部４２の中に効率よく収容配置するには、一端側縁４の最短幅ＳＷが包装袋収容部４２の左右側壁４４、４６の対向間隔Ｗより小さいことが重要条件になる。また、他の重要条件として、傾斜角θが存在する。傾斜角θが小さければ滑り難いし、大きければ滑りやすい。更に、重要条件として最長幅ＬＷが存在する。最長幅ＬＷが大きいと収容されにくく、小さいと収容され易い。上記した最短幅ＳＷ、傾斜角θ及び最長幅ＬＷの範囲設定について、以下に表１〜表３を用いて詳しく説明する。
【００４７】
[本発明試験（表１）：短比率ＲＳの範囲の判定]
最短幅ＬＷと対向間隔Ｗの相対関係については、対向間隔Ｗに対する最短幅ＳＷの短比率ＲＳを実験的に検討する。この短比率ＲＳはＲＳ＝ＳＷ／Ｗにより与えられる。下記の（１）〜（５）の前提条件の下に実験を行った。
（１）最短幅ＳＷはゼロより大きく対向間隔Ｗより小さい。
（２）最長幅ＬＷは４８．５ｃｍ、対向間隔Ｗは２５．５ｃｍに固定する。
（３）袋高Ｈは５４．５ｃｍに固定する。
（４）短比率ＲＳはＲＳ＝ＳＷ／Ｗにより定義する。
（５）包装袋面積Ｓは下記式により計算される。
Ｓ＝ＬＷ×Ｈ−[（ＬＷ−ＳＷ）／]２×ｔａｎ(θ)
【００４８】
【表１】
0005945128.tif 000002
【００４９】
表１では、最長幅ＬＷ＝４８．５ｃｍ、対向間隔Ｗ＝２５．５ｃｍ、袋高Ｈ＝５４．５ｃｍ、傾斜角θ＝５５度に固定された。最短幅ＳＷは次の９段階、即ち２４．０ｃｍ、２３．０ｃｍ、２２．０ｃｍ、２０．０ｍ、１７．５ｃｍ、１５．０ｃｍ、１２．５ｃｍ、１０．０ｃｍ、７．５ｃｍに設定された。各段階毎に、飲用水包装袋１に飲料水を満タン状態の８５％になるまで注入し、実際に飲料水ディスペンサ４０の包装袋収容部４２に収容させて収容容易性の判定を行った。また、包装袋面積Ｓが大きい程注入できる飲料水量は大きくなるから、飲料水量については包装袋面積Ｓの大きさで判定した。飲料水量と収容容易性の判定は４段階であり、二重丸は優、丸は一重丸、可は三角、不可は×で表す。総合判定は飲料水量と収容容易性の両者を用いて総合判定した結果である。総合判定も上述と同様に、二重丸、丸、可、不可の４段階で評価した。最終的に、総合判定の二重丸、丸、可を用いて、短比率ＲＳの範囲を決定した。
【００５０】
飲料水量に関しては、包装袋面積Ｓが２４００ｃｍ２以上を二重丸、２２４０ｃｍ２以上を丸、２１００ｃｍ２以上を三角都市、２１００ｃｍ２未満を×とした。収容容易性に関しては、実際の飲料水包装袋の滑動落下状態を見て判断した。最短幅ＳＷが１７．５ｃｍ以下で二重丸、２０．０ｃｍ以下で丸、２３．０ｃｍ以下で三角、それを超えると×であった。その結果、総合判定において、三角で囲まれる短比率の範囲は０．３９≦ＲＳ≦０．９０であり、この短比率の範囲であれば、飲料水包装袋１を効率的に包装袋収容部４２に収容載置できることが判明した。
【００５１】
[本発明試験（表２）：傾斜角θの範囲の判定]
傾斜角θと収容容易性との相関関係は、一般的に、傾斜角θが小さいと収容容易性は悪くなり、傾斜角θが大きいと収容容易性は向上する。傾斜角θの範囲決定の実験は、表１の最良条件、即ち最短幅ＳＷ＝１７．５ｃｍ、最長幅ＬＷ＝４８．５ｃｍ、対向間隔Ｗ＝２５．５ｃｍ、短比率ＲＳ＝０．６９を前提に、下記の（１）〜（５）の条件の下に行われた。
（１）傾斜角θを３０度〜７４度の範囲で実験する。その理由は、上記最良条件での下記式で与えられる最大傾斜角θmax＝７４．１度である。
θmax＝ｔａｎ−１[Ｈ／{（ＬＷ−ＳＷ）／２}]＝７４．１度
（２）最長幅（ＬＷ＝４８．５ｃｍ）＞対向間隔（Ｗ＝２５．５ｃｍ）＞最短幅（ＳＷ＝１７．５ｃｍ）に固定する。
（３）袋高Ｈ＝５４．５ｃｍに固定。
（４）短比率ＲＳ＝ＳＷ／Ｗ＝０．６９に固定。
（５）包装袋面積Ｓは下記式により計算する。
Ｓ＝ＬＷ×Ｈ−[（ＬＷ−ＳＷ）／]２×ｔａｎ(θ)
＝２６４３−２４０×ｔａｎ（θ）
【００５２】
【表２】
0005945128.tif 000003
【００５３】
表２では、最短幅ＳＷ＝１７．５ｃｍ、最長幅ＬＷ＝４８．５ｃｍ、対向間隔Ｗ＝２５．５ｃｍ、袋高Ｈ＝５４．５ｃｍに固定された。傾斜角θは次の１１段階、即ち３０度、３５度、４０度、４５度、５０度、５５度、６０度、６５度、６８度、７０度、７４度に設定された。各段階毎に、飲用水包装袋１に飲料水を満タン状態の８５％になるまで注入し、実際に飲料水ディスペンサ４０の包装袋収容部４２に収容させて収容容易性の判定を行った。また、包装袋面積Ｓが大きい程注入できる飲料水量は大きくなるから、飲料水量については包装袋面積Ｓの大きさで判定した。飲料水量と収容容易性の判定は４段階であり、二重丸は優、丸は一重丸、可は三角、不可は×で表す。総合判定は飲料水量と収容容易性の両者を用いて総合判定した結果である。総合判定も上述と同様に、二重丸、丸、可、不可の４段階で評価した。最終的に、総合判定の二重丸、丸、可を用いて、傾斜角θの範囲を決定した。
【００５４】
飲料水量に関しては、包装袋面積Ｓが２４００ｃｍ２以上を二重丸、２２００ｃｍ２以上を丸、２０００ｃｍ２以上を三角、２０００ｃｍ２未満を×とした。収容容易性に関しては、実際の飲料水包装袋の滑動落下状態を見て判断した。傾斜角θが５５度以上で二重丸、５０度以上で丸、３５度以上で三角、それ未満では×であった。その結果、総合判定において、三角で囲まれる傾斜角θの範囲は３５度≦θ≦６８度であり、この傾斜角の範囲であれば、飲料水包装袋１を効率的に包装袋収容部４２に収容載置できることが判明した。
【００５５】
[本発明試験（表３）：長比率ＲＬの範囲の判定]
最長幅ＬＷと対向間隔Ｗの相対関係については、対向間隔Ｗに対する最長幅ＬＷの長比率ＲＬを実験的に検討する。この長比率ＲＬはＲＬ＝ＬＷ／Ｗにより与えられる。下記の（１）〜（６）の前提条件の下に実験を行った。
（１）長幅ＬＷは対向間隔Ｗより大きい。
（２）表１の最良結果から、最短幅（ＳＷ＝１７．５ｃｍ）＜対向間隔（Ｗ＝２５．５ｃｍ）、短比率ＲＳ＝０．６９に固定。
（３）表２の最良結果から、傾斜角θ＝５５度に固定。故にｔａｎ（θ）＝１．４２８になる。
（４）袋高Ｈ＝５４．５ｃｍに固定。
（５）長比率ＲＬ＝ＬＷ／Ｗで計算。
（６）包装袋面積Ｓは下記式により計算する。
Ｓ＝ＬＷ×Ｈ−[（ＬＷ−ＳＷ）／２]２×ｔａｎ(θ)
【００５６】
【表３】
0005945128.tif 000004
【００５７】
表３では、最短幅ＳＷ＝１７．５ｃｍ、対向間隔Ｗ＝２５．５ｃｍ、袋高Ｈ＝５４．５ｃｍ、傾斜角θ＝５５度に固定された。最長幅ＬＷは次の８段階、即ち２８．０ｃｍ、３０．６ｃｍ、４０．８ｃｍ、４８．５ｍ、５６．１ｃｍ、６３．８ｃｍ、６８．９ｃｍ、７６．５ｃｍに設定された。これは長比率ＲＬ＝１．１〜３．０に相当する。各段階毎に、飲用水包装袋１に飲料水を満タン状態の８５％になるまで注入し、実際に飲料水ディスペンサ４０の包装袋収容部４２に収容させて収容容易性の判定を行った。また、包装袋面積Ｓが大きい程注入できる飲料水量は大きくなるから、飲料水量については包装袋面積Ｓの大きさで判定した。飲料水量と収容容易性の判定は４段階であり、二重丸は優、丸は一重丸、可は三角、不可は×で表す。総合判定は飲料水量と収容容易性の両者を用いて総合判定した結果である。総合判定も上述と同様に、二重丸、丸、可、不可の４段階で評価した。最終的に、総合判定の二重丸、丸、可を用いて、長比率ＲＬの範囲を決定した。
【００５８】
飲料水量に関しては、包装袋面積Ｓが２５００ｃｍ２以上を二重丸、２３００ｃｍ２以上を丸、１６００ｃｍ２以上を三角、１６００ｃｍ２未満を×とした。収容容易性に関しては、実際の飲料水包装袋の滑動落下状態を見て判断した。最長幅ＬＷが４８．５ｃｍ以下で二重丸、５６．１ｃｍ以下で丸、６８．９ｃｍ以下で三角、それを超えると×であった。その結果、総合判定において、三角で囲まれる長比率の範囲は１．２≦ＲＳ≦２．７であり、この長比率の範囲であれば、飲料水包装袋１を効率的に包装袋収容部４２に収容載置できることが判明した。
【００５９】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００６０】
本発明は、上記従来の課題に鑑みてなされたものであって、飲料水包装袋の開閉バルブと反対側の左右角部に手で把持するための三角縁部を形成し、開閉バルブ側の左右角部に傾斜縁を形成し、左右の傾斜縁を飲料水ディスペンサの左右の側壁上縁に当接させて、その自重により包装袋収容部に飲料水包装袋を滑らせて落下収容するものであり、両手で把持し簡単操作で包装袋収容部に収容載置可能な飲料水包装袋を提供することができる。従って、本発明に係る飲料水包装袋は、水・ジュース・酒・その他の飲料水を提供する関係業界、例えば上水道業界、ジュース業界、リカー業界、それらの製造業・販売業・配送などの中間産業に大きな便益を与えることが可能である。
【符号の説明】
【００６１】
１        飲料水包装袋
２        上側フィルム
３        下側フィルム
４        一端側縁
４ａ      一端側縁融着帯
６        他端側縁
６ａ      他端側縁融着帯
８        左側縁
８ａ      左側縁融着帯
１０      右側縁
１０ａ    右側縁融着帯
１２      左傾斜縁
１２ａ    左傾斜縁融着帯
１４      右傾斜縁
１４ａ    右傾斜縁融着帯
１６      左三角縁部
１６ａ    左三角縁部融着帯
１８      右三角縁部
１８ａ    右三角縁部融着帯
２０      左三角状融着帯
２２      右三角状融着帯
２４      環状融着帯
２６      空洞部
２８      開閉バルブ
２９      筒体
３０      ノズル
３２      開閉レバー
３４      内封板
３６      導水孔
３８      飲料水
４０      飲料水ディスペンサ
４２      包装袋収容部
４４      左側壁
４４ａ    左上端縁
４６      右側壁
４６ａ    右上端縁
４８      背板
５０      底板
５２      規制壁
５４      切欠部
Ｈ        袋高
ＬＷ      最長幅
Ｓ        包装袋面積
ＳＷ      最短幅
θ        傾斜角
Ｗ        対向間隔
ＲＳ      短比率
ＲＬ      長比率
１０１    外郭ケース
１０２    バッグ収納室
１０５    底壁
１０６    左側壁
１０７    右側壁
１０８    後壁
１０９    ストッパー
１１０    蓋
１１１    切欠き
１１２    溝
１１３    水受けトレイ
１１５    冷却プレート
１１７    冷媒通路
１１９    コンプレッサー
１３０    飲料水バッグ
１３１    注水栓
１３２    段ボール製外箱
２３０    水バッグ
２３１    封止ライン
２３２    封止ライン
２３３    開閉バルブ
２３４    封止ライン
２３５    切り取り部分
【図１】
0005945128.tif 000005
【図２】
0005945128.tif 000006
【図３】
0005945128.tif 000007
【図４】
0005945128.tif 000008
【図５】
0005945128.tif 000009
【図６】
0005945128.tif 000010
【図７】
0005945128.tif 000011
【図８】
0005945128.tif 000012
【図９】
0005945128.tif 000013
【図１０】
0005945128.tif 000014
【図１１】
0005945128.tif 000015
【図１２】
0005945128.tif 000016